(57)【特許請求の範囲】
【請求項１】
人工衛星から各トランスポンダ毎にＱＰＳＫ変調されて送信されてくるデジタル放送信号を受信するアンテナからの受信信号と、
前記アンテナからの受信信号を各トランスポンダ毎に選局／復調してＱＡＭ変調することによりＱＡＭ変調信号を生成し、該ＱＡＭ変調信号をそれぞれ伝送用の受信信号に周波数変換して端末側に伝送するＣＡＴＶシステムにおいて、端末側に伝送されるＱＡＭ変調された受信信号と、
のいずれかを選択的に入力可能で、該入力された受信信号の中から、外部から指定されたトランスポンダからの受信信号を選局してデータを復元する受信端末装置であって、
前記入力された受信信号が前記アンテナからの受信信号であるか前記ＣＡＴＶシステムにおいて端末側に伝送される受信信号であるかを表わす信号種別、及び、前記データを復元すべき受信信号を送信してくるトランスポンダを、夫々、外部から指定するための入力手段と、
前記アンテナから受ける受信信号の周波数とトランスポンダとの対応関係を表す選局データ、及び、前記ＣＡＴＶシステムにおいて端末側に伝送される受信信号の周波数とトランスポンダとの対応関係を表わす選局データが夫々記憶された選局データ記憶手段と、
前記入力手段を介して指定された信号種別及びトランスポンダに対応した受信信号の周波数を前記選局データ記憶手段から読み出し、該読み出した周波数の受信信号が中間周波数となるように、前記受信信号を周波数変換する周波数変換手段と、
該周波数変換手段にて周波数変換された受信信号の内、前記中間周波数を中心とする設定帯域幅の中間周波信号を通過させるフィルタ手段と、
該フィルタ手段が通過させる中間周波信号の帯域幅を、前記入力手段を介して指定された信号種別に対応した１トランスポンダ分の受信信号の帯域幅に設定する帯域幅設定手段と、
前記フィルタ手段を通過した中間周波信号を、位相が９０度異なるＩ成分及びＱ成分の信号に分離する変調波分離手段と、
前記受信信号がＱＡＭ変調信号である場合に前記分離手段にて分離されたＩ成分及びＱ成分の各信号の位相・振幅変化からデータを復元するＱＡＭ用のデータ復元手段と、
前記受信信号がＱＰＳＫ変調信号である場合に前記分離手段にて分離されたＩ成分及びＱ成分の各信号の位相変化からデータを復元するＱＰＳＫ用のデータ復元手段と、
前記ＱＡＭ用及びＱＰＳＫ用の各データ復元手段の何れか一方を、前記入力手段を介して指定された信号種別に応じて動作させるデータ復元動作切換手段と、
を備えたことを特徴とする受信端末装置。
【請求項２】
前記ＣＡＴＶシステムは、端末側に伝送する受信信号の周波数とトランスポンダとの対応関係を表わす選局データをＱＡＭ変調し、更にそのＱＡＭ変調信号を伝送信号に変換して端末側に伝送するように構成されており、
当該受信端末装置には、更に、
前記入力手段を介して、前記受信信号が前記ＣＡＴＶシステムにおいて端末側に伝送される受信信号である旨が指定されると、前記伝送信号を、前記周波数変換手段，フィルタ手段，帯域幅設定手段，変調波分離手段，及びＱＡＭ用のデータ復元手段を介して選局・復調して、前記ＣＡＴＶシステムにて伝送される受信信号の周波数とトランスポンダとの対応関係を表わす選局データを復元し、該復元した選局データを前記選局データ記憶手段に格納する選局データ復元・格納手段、
が設けられていることを特徴とする請求項１に記載の受信端末装置。
【発明の詳細な説明】
【０００１】
【発明の属する技術分野】
本発明は、人工衛星から各トランスポンダ毎にＱＰＳＫ変調されて送信されてくるデジタル放送信号を受信し、その受信信号から各トランスポンダのデジタル放送信号を選局／復調してＱＡＭ変調することによりＱＡＭ変調信号を生成し、そのＱＡＭ変調信号を伝送用の受信信号に周波数変換して端末側に伝送するＣＡＴＶシステムにおいて、端末側で所望の受信信号を選局してデータを復元するのに好適な受信端末装置に関する。
【０００２】
【従来の技術】
従来より、ＣＡＴＶシステムの一つとして、人工衛星から送信されてくるデジタル放送信号を受信し、この受信信号を端末側に伝送するようにしたＣＡＴＶシステムが知られている。
【０００３】
また、上記人工衛星において、デジタル放送信号を送信する各トランスポンダは、人工衛星に割り当てられた送信電波の周波数を有効に利用するために、送信周波数が重複した垂直偏波又は水平偏波の電波，或いは送信周波数が重複した右旋回偏波又は左旋回偏波の電波で、デジタル放送信号を送信するように構成されている。
【０００４】
このため、上記従来のＣＡＴＶシステムでは、端末側に伝送する各トランスポンダ毎の受信信号の伝送周波数が重なることのないよう、アンテナで受信した人工衛星からのデジタル放送信号を、各トランスポンダ毎に、所定周波数帯の受信信号に並べ直して、端末側に伝送するようにされている。
【０００５】
【発明が解決しようとする課題】
ところで、近年、人工衛星を使ったデジタル放送では、放送チャンネルの多チャンネル化が進み、上記従来のＣＡＴＶシステムでは、１本のケーブルで所望のデジタル放送信号を端末側に伝送することができず、ケーブルを２本又はそれ以上に多重化しなければならないことがあった。
【０００６】
つまり、人工衛星からのデジタル放送信号は、各トランスポンダ毎にデータをＱＰＳＫ変調（Quadrature Phase Shift Keying;４相位相偏移変調）することにより生成されるが、このようなＱＰＳＫ変調で生成されるデジタル放送信号の帯域幅は、１トランスポンダ当り２７〜３２ＭＨｚとなる。一方、人工衛星からのデジタル放送信号受信用のＣＡＴＶシステムにおいては、受信信号の伝送周波数が、例えば９５０〜１８９５ＭＨｚというように、受信信号の伝送に使用可能な周波数が限られている。
【０００７】
このため、人工衛星が、１トランスポンダ当りに複数の放送チャンネル分のデータを時分割で送信するように構成されていたとしても、従来のＣＡＴＶシステムにおいて１本のケーブルで伝送可能な放送チャンネル数は百数十チャンネルが限界であり、複数の人工衛星の各トランスポンダから送信されてきた多数のデジタル放送信号を１本のケーブルで端末側に伝送することは不可能であった。
【０００８】
尚、人工衛星を使ったデジタル放送では、映像及び音声データを情報圧縮規格の一つであるＭＰＥＧ２を用いて圧縮することにより、１トランスポンダ当りに、４〜８個の放送チャンネル分のデータを時分割送信することが可能であり、既に、こうしたＭＰＥＧ２を利用した放送データの多チャンネル送信を行なう人工衛星が実用化されている。
【０００９】
そこで、本願発明者らは、人工衛星から送信されてくるＱＰＳＫ変調されたデジタル放送信号を受信して端末側に伝送するＣＡＴＶシステムにおいて、受信したデジタル放送信号を各トランスポンダ毎に狭帯域の伝送信号に変換することにより、端末側に伝送可能なデジタル放送信号の数を増加することを考えた。
つまり、ＱＰＳＫ変調に比べて、ＱＡＭ変調（Quadrature Amplitude Modulation；直交振幅変調）は、１シンボルで送信可能な情報量が多く、単位時間当たりに送信すべき情報量が同じであれば、データ伝送に必要な信号の周波数帯域を狭くすることができることから、ＣＡＴＶシステムにおいて、受信した各トランスポンダ毎のデジタル放送信号をＱＡＭ変調した受信信号に変換することにより、端末側に伝送可能なデジタル放送信号の数を増加させるのである。
しかしながら、このようにＣＡＴＶシステムを構成した場合、端末側で人工衛星からのデジタル放送信号を受信する受信端末装置には、ＣＡＴＶシステム専用のものを使用する必要があり、例えば、上述のＣＡＴＶシステムが導入されたマンション等からＣＡＴＶシステムがない地域に引っ越した場合、或いは人工衛星からのデジタル放送を直接受信していた者が請求項１に記載のＣＡＴＶシステムが導入されたマンション等に引っ越した場合には、受信端末装置を買い換える必要がある。
【００１０】
本発明は、こうした問題に鑑みなされたものであり、上記のように構成されたＣＡＴＶシステムにおいて、端末側で所望トランスポンダのデータを復元可能で、しかも、人工衛星からのデジタル放送信号を受信するアンテナからの受信信号からも所望トランスポンダのデータを復元可能な受信端末装置を提供することを目的とする。
【００１１】
【課題を解決するための手段】
上記第１の目的を達成するために、請求項１に記載のＣＡＴＶシステムにおいては、人工衛星からのデジタル放送信号を受信するアンテナからの受信信号を受けて所定トランスポンダからの受信信号を選局し、その選局した受信信号を伝送用の所定周波数帯の受信信号に変換する複数の受信信号変換手段が、夫々、ＱＰＳＫ復調手段と、データ変換手段と、第１のＱＡＭ変調手段と、第１の周波数変換手段とを備える。
【００１２】
そして、各受信信号変換手段では、まずＱＰＳＫ復調手段が、上記選局した所定トランスポンダからの受信信号（ＱＰＳＫ変調信号）を、位相が９０度異なるＩ成分及びＱ成分の信号に分離し、その分離した各信号から、所定トランスポンダから送信されたデータを復元する。また、このようにデータが復元されると、データ変換手段が、その復元されたＩ成分及びＱ成分のデータを順次所定ビット数のパラレルデータに変換し、更に、第１のＱＡＭ変調手段が、その変換されたＩ成分及びＱ成分のパラレルデータから、所定トランスポンダから送信されたデータをＱＡＭ変調したＱＡＭ変調信号を生成する。そして最後に、第１の周波数変換手段が、第１のＱＡＭ変調手段にて生成されたＱＡＭ変調信号を、伝送用の所定周波数帯の受信信号に変換する。
【００２１】
【課題を解決するための手段】
上記目的を達成するために、請求項１に記載の受信端末装置においては、人工衛星から各トランスポンダ毎にＱＰＳＫ変調されて送信されてくるデジタル放送信号を受信するアンテナからの受信信号と、このアンテナからの受信信号を各トランスポンダ毎に選局／復調してＱＡＭ変調することによりＱＡＭ変調信号を生成し、その生成したＱＡＭ変調信号をそれぞれ伝送用の受信信号に周波数変換して端末側に伝送するＣＡＴＶシステムにおいて、端末側に伝送されるＱＡＭ変調された受信信号と、のいずれかを選択的に入力可能に構成されている。そして、その入力された受信信号がアンテナからの受信信号であるかＣＡＴＶシステムにおいて端末側に伝送される受信信号であるかを表わす信号種別、及び、データを復元すべき受信信号を送信してくる人工衛星のトランスポンダを、夫々、外部から指定するための入力手段が設けられると共に、アンテナから受ける受信信号の周波数とトランスポンダとの対応関係を表す選局データ、及び、ＣＡＴＶシステムにおいて端末側に伝送される受信信号の周波数とトランスポンダとの対応関係を表わす選局データが夫々記憶された選局データ記憶手段が設けられている。
【００２２】
そして、入力手段を介して信号種別及びトランスポンダが指定されると、周波数変換手段が、その指定された信号種別及びトランスポンダに対応した受信信号の周波数を選局データ記憶手段から読み出し、その読み出した周波数の受信信号が中間周波数となるように、受信信号を周波数変換する。
【００２３】
また、この周波数変換手段にて周波数変換された受信信号は、中間周波数を中心とする設定帯域幅の中間周波信号を通過させるフィルタ手段に入力されるが、フィルタ手段が通過させる中間周波信号の帯域幅は、帯域幅設定手段にて、入力手段を介して指定された信号種別に対応した１トランスポンダ分の受信信号の帯域幅に設定される。
【００２４】
つまり、アンテナから入力される受信信号（ＱＰＳＫ変調信号）は、１トランスポンダ当たりに２７〜３２ＭＨｚの周波数帯域幅を有する。これに対して、上述したＣＡＴＶシステムにおいて端末側に伝送される受信信号（ＱＡＭ変調信号）の各トランスポンダ毎の周波数帯域幅は、アンテナからの受信信号に比べて狭く、例えば６４ＱＡＭで変調されている場合には６〜８ＭＨｚとなる。そこで本発明の受信端末装置においては、アンテナ又は上記ＣＡＴＶシステムのヘッドエンド側より入力される受信信号の種別に応じて、フィルタ手段の帯域幅を切り換えることにより、フィルタ手段から所望トランスポンダからの信号成分（中間周波信号）のみが出力されるようにしているのである。
【００２５】
そして、このようにフィルタ手段から出力される、所望トランスポンダの受信信号を周波数変換した中間周波信号は、変調波分離手段において、位相が９０度異なるＩ成分及びＱ成分の信号に分離される。
【００２６】
尚、変調波分離手段において中間周波信号をＩ成分及びＱ成分の信号に分離するのは、ＱＰＳＫ変調信号及びＱＡＭ変調信号が、夫々、位相が９０度異なるＩ成分の信号とＱ成分の信号とを合成したものであるためであり、変調波分離手段では、当該受信端末装置がアンテナからの受信信号（ＱＰＳＫ変調信号）を受ける場合であっても、上記ＣＡＴＶシステムの端末側で受信信号（ＱＡＭ変調信号）を受ける場合であっても、同一の回路を使って、中間周波信号をデータ復元用のＩ成分及びＱ成分の信号に分離することができる。
【００２７】
また、変調波分離手段にてＩ成分及びＱ成分に分離された信号からデータを復元する際には、Ｉ成分及びＱ成分に分離した各信号がＱＰＳＫ変調の場合とＱＡＭ変調信号の場合とで異なることから、データの復元動作を受信信号の種別に応じて切り換える必要がある。つまり、データを復元すべき中間周波信号がＱＰＳＫ変調信号である場合には、Ｉ成分及びＱ成分に分離した各信号が位相変調されており、データを復元すべき中間周波信号がＱＡＭ変調信号である場合には、Ｉ成分及びＱ成分に分離した各信号が位相振幅変調されているので、中間周波信号をＩ成分及びＱ成分に分離した各信号からデータを復元する際の復元動作は、受信信号の種別（ＱＰＳＫ／ＱＡＭ）に応じて切り換える必要がある。
【００２８】
そこで、本発明では、変調波分離手段にて分離したＩ成分及びＱ成分の各信号を、各信号の位相・振幅変化からデータを復元するＱＡＭ用のデータ復元手段と、各信号の位相変化からデータを復元するＱＰＳＫ用のデータ復元手段とに入力し、データ復元動作切換手段が、入力手段を介して指定された信号種別に応じて、ＱＡＭ用及びＱＰＳＫ用のデータ復元手段の何れか一方を動作させるようにされている。
この結果、本発明の受信端末装置によれば、請求項１に記載のＣＡＴＶシステム用の端末装置としても、またアンテナからの受信信号を直接受ける衛星直接受信方式の受信装置としても使用できる。従って、例えば、請求項１に記載のＣＡＴＶシステムが導入されたマンション等からＣＡＴＶシステムがない地域に引っ越した場合、或いは人工衛星からのデジタル放送を直接受信していた者が請求項１に記載のＣＡＴＶシステムが導入されたマンション等に引っ越した場合に、受信端末装置を買い換える必要はなく、今まで使用していた受信端末装置をそのまま利用することが可能になる。
【００２９】
また、特に、本発明の受信端末装置においては、当該装置に入力される受信信号から所望トランスポンダの受信信号を選局してデータを復調するのに必要な、周波数変換手段、フィルタ手段、及び変調波分離手段を、ＱＰＳＫ変調信号復調時とＱＡＭ変調信号復調時とで共用化することができることから、これら各変調方式の受信信号から所望トランスポンダの受信信号を選局してデータを復調できるにもかかわらず、その回路構成を簡素化して、安価に実現できる。
【００３５】
次に、請求項２に記載の受信端末装置は、端末側に伝送する受信信号の周波数とトランスポンダとの対応関係を表わす選局データをＱＡＭ変調し、更にそのＱＡＭ変調信号を伝送信号に変換して端末側に伝送するように構成されたＣＡＴＶシステムにおいて使用できるようにしたものであり、選局データ復元・格納手段を備える。そして、この選局データ復元・格納手段は、入力手段を介して受信信号がＣＡＴＶシステムにおいて端末側に伝送される受信信号である旨が指定されると、上記伝送信号を、周波数変換手段，フィルタ手段，帯域幅設定手段，変調波分離手段，及びＱＡＭ用のデータ復元手段を介して選局・復調して、ＣＡＴＶシステムにて伝送される受信信号の周波数とトランスポンダとの対応関係を表わす選局データを復元し、その復元した選局データを選局データ記憶手段に格納する。
【００３６】
従って、本発明の受信端末装置によれば、選局データをＱＡＭ変調して端末側に伝送するＣＡＴＶシステムの端末装置として使用する際には、ヘッドエンド側からＱＡＭ変調されて伝送されてくる選局データが選局データ記憶手段に自動で格納され、その後、データを復元したいトランスポンダを入力手段を介して指定すれば、その指定したトランスポンダからのデータが復元されることになる。
【００３７】
このため、選局データをＱＡＭ変調して端末側に伝送するＣＡＴＶシステムにおいて、本発明の受信端末装置を用いれば、使用者は、ＣＡＴＶシステムにおける伝送周波数に対するトランスポンダ配列を知ることなく、所望トランスポンダからのデジタル放送を楽しむことができ、極めて使い勝手のよい受信端末装置となり得る。
【００３８】
【発明の実施の形態】
以下に本発明の実施例を図面と共に説明する。
まず図１は、本発明が適用されたＳＭＡＴＶ（Satellite Master Antenna Television ）システムのヘッドエンド側の構成を表す。なお、ＳＭＡＴＶシステムは、ビル用或いは小規模なＣＡＴＶシステムである。
【００３９】
本実施例のＳＭＡＴＶシステムは、地上からのデジタル放送用の電波を中継する多数のトランスポンダからなるデジタル放送用の人工衛星（所謂通信衛星であり、以下、単にＣＳともいう）から送信されてくるデジタル放送信号を受信する、１又は複数のパラボラアンテナ（以下、単にアンテナという）を備える。
【００４０】
そして、このアンテナにて受信したデジタル放送信号を端末に伝送するために、当該ＳＭＡＴＶシステムのヘッドエンドには、図１に示す如く、アンテナからの受信信号を、ＣＳの各トランスポンダからのデジタル放送信号（ＱＰＳＫ変調信号）を、夫々、予め設定された所定周波数帯の受信信号（ＱＡＭ変調信号）に変換する複数のＱＰＳＫ−ＱＡＭ変換回路２と、各ＱＰＳＫ−ＱＡＭ変換回路２から出力される受信信号（ＱＡＭ変調信号）を混合して端末側に出力する出力混合回路４とが備えられている。
【００４１】
このようにヘッドエンドに設けられた複数のＱＰＳＫ−ＱＡＭ変換回路２は、ＣＳの各トランスポンダから送信されてくるＱＰＳＫ変調されたデジタル放送信号（帯域幅２７〜３２ＭＨｚ）を、当該ＳＭＡＴＶシステムの伝送周波数として予め設定された９５０〜１８９５ＭＨｚ内の所定周波数帯（帯域幅６〜８ＭＨｚ）のＱＡＭ変調信号に変換する。
【００４２】
即ち、ＱＰＳＫ−ＱＡＭ変換回路２は、図１に示すように、アンテナから入力される受信信号の中から、予め設定された所定トランスポンダからのデジタル放送信号（ＱＰＳＫ変調信号）を選局すると共に、その選局した受信信号を位相が９０度異なるＩ成分及びＱ成分の信号（変調波）に分離して出力するチューナユニット１２と、チューナユニット１２から出力されるＩ・Ｑ各成分の信号を、夫々、データを復元可能な所定のサンプリング周期でデジタルデータに変換するＡ／Ｄ変換部１４と、Ａ／Ｄ変換部１４を介して入力されるデジタルデータの変化から、Ｉ・Ｑ各成分の信号（変調波）の位相変化を検出して、ＣＳのトランスポンダから送信されてきた１シンボル２ビット（Ｉ・Ｑ各１ビット）のデータを順次復元するデータ復元部１６と、データ復元部１６から出力されるＩ・Ｑ各成分のシリアルデータを、順次、Ｉ・Ｑ各３ビットのパラレルデータに変換するデータ変換部１８と、データ変換部１８から出力されるＩ・Ｑ各３ビットのデータを、夫々、値０〜７の８値に変換する３ビット８値変換部２０と、３ビット８値変換部２０から順次出力されるＩ・Ｑ各成分の数値（８値）をアナログ電圧信号に変換するＤ／Ａ変換部２２と、Ｄ／Ａ変換部２２から出力されるＩ・Ｑ各成分のアナログ電圧信号にて、位相が９０度異なるＱＡＭ変調信号生成用の搬送波を夫々位相・振幅変調して合成することによりＱＡＭ変調信号（本実施例では、各搬送波を夫々３ビット（８値）の電圧信号で変調するため６４ＱＡＭ変調信号となる）を生成する変調波生成部２４と、変調波生成部２４から出力される６４ＱＡＭ変調信号を所定周波数帯の伝送用受信信号に変換するアップコンバータ２６と、から構成されている。
【００４３】
ここで、チューナユニット１２は、図２に示す如く、アンテナからの受信信号を、変換対象となる所定トランスポンダからの受信信号の中心周波数が所定の中間周波数（例えば４００ＭＨｚ）となるように周波数変換する周波数変換部３０と、周波数変換部３０による周波数変換後の受信信号を増幅するＩＦアンプ３２と、ＩＦアンプ３２により増幅した受信信号の内、中間周波数を中心とする１トランスポンダ分の帯域幅（２７〜３２ＭＨｚ）の信号成分を通過させるバンドパスフィルタ（以下、ＢＰＦという）３４と、ＢＰＦ３４を通過した中間周波信号を更に増幅するＩＦアンプ３６と、ＩＦアンプ３６にて増幅された中間周波信号をＩ成分及びＱ成分の信号（変調波）に分離する変調波分離回路３８とから構成されている。
【００４４】
また、変調波分離回路３８は、ＣＳ側でＱＰＳＫ変調信号を生成するのに用いられる搬送波の周波数に対応した信号を発生する電圧制御発振回路（以下、単にＶＣＯという）３８ａと、ＶＣＯ３８ａからの出力信号の位相を９０度移相させる移相器３８ｂと、ＶＣＯ３８ａからの出力信号及びこの信号を移相器３８ｂにて９０度移相させた信号と、ＩＦアンプ３６からの中間周波信号とを夫々混合して、Ｉ成分及びＱ成分の信号を夫々抽出するミキサ回路３８ｃ及び３８ｄとから構成されている。
【００４５】
従って、チューナユニット１２においては、周波数変換部３０，ＩＦアンプ３２，ＢＰＦ３４，ＩＦアンプ３６の動作によって、アンテナから入力される受信信号の中からＣＳの所定トランスポンダにおいてＱＰＳＫ変調されたデジタル放送信号が選局され、変調波分離回路３８によって、その選局した所定トランスポンダからのデジタル放送信号がＩ成分及びＱ成分の信号（変調波）に分離されることになる。
【００４７】
次に、データ変換部１８は、例えば、図３（ａ）に示す如く構成され、図３（ｂ）に示す如く動作する。
即ち、データ変換部１８は、データ復元部１６がＩ・Ｑ各成分の信号レベルを表すデジタルデータから１シンボル２ビット（Ｉ・Ｑ各１ビット）のデータを順次復元する際のクロック信号ＣＬＫ１を受けて、その復元されたデータを順次ラッチするレジスタ４０と、データ復元部１６側のクロック信号ＣＬＫ１を３分周して、このクロック信号ＣＬＫ１の３倍の周期のクロック信号ＣＬＫ３を生成する分周器４２と、クロック信号ＣＬＫ１を受けてレジスタ４０にラッチされたデータを順次取り込み、蓄積すると共に、クロック信号ＣＬＫ３を受けてその蓄積したデータをパラレルデータとして出力するシリアル−パラレル変換部４４とから構成されている。
【００４８】
この結果、データ変換部１８においては、図３（ｂ）に示すように、シリアル−パラレル変換部４４に、データ復元部１６から所定周期で順次出力されるＩ・Ｑ各成分のデータが３ビット分ずつ蓄積されて、この３ビット分のデータがパラレルデータとして同時に出力されることになる。
【００４９】
そして、このデータ変換部１８にて生成されたクロック信号ＣＬＫ３は、次段の３ビット８値変換部２０に出力され、３ビット８値変換部２０は、このクロック信号ＣＬＫ３に同期して、データ変換部１８からのＩ・Ｑ各成分の出力データ（３ビットパラレルデータ）を取り込み、これを値０〜７の８値に変換する。
【００５０】
また次に、変調波生成部２４は、図４に示す如く、６４ＱＡＭ変調信号生成用の搬送波を発生するＶＣＯ２４ａと、ＶＣＯ２４ａからの出力信号（搬送波）の位相を９０度移相させる移相器２４ｂと、ＶＣＯ２４ａからの出力信号及びこの信号を移相器２４ｂにて９０度移相させた信号と、Ｄ／Ａ変換部２２から出力されるＩ・Ｑ各成分のアナログ電圧信号とを、夫々合成することによりＩ・Ｑ各成分の位相振幅変調信号を生成するミキサ回路２４ｃ及び２４ｄとを備え、これら各ミキサ回路２４ｃ，２４ｄからの出力を混合して出力するように構成されている。
【００５１】
この結果、変調波生成部２４からは、ＶＣＯ２４ａからの６４ＱＡＭ変調信号生成用の搬送波を、データ変換部１８にてＩ・Ｑ各３ビットのパラレルデータに変換された合計６ビットのデータ（６４値）にてＱＡＭ変調した６４ＱＡＭ変調信号が出力されることになる。
【００５３】
そして、上記のように構成された複数のＱＰＳＫ−ＱＡＭ変換回路２は、夫々、アンテナにて受信した各トランスポンダ毎のデジタル放送信号を、ＣＳからの送信電波の各トランスポンダの周波数配列（トランスポンダ配列）に沿った周波数配列（トランスポンダ配列）となるように、夫々、所定周波数帯の伝送用受信信号に変換して出力する。
【００５４】
即ち、例えば、ＣＳから送信されてくる各トランスポンダ毎の電波の偏波面が、奇数チャンネル１，３，…１３のトランスポンダからのデジタル放送信号と、偶数チャンネル２，４，…１４のトランスポンダからのデジタル放送信号とで互いに異なっている場合、このＣＳからの送信電波を受信するアンテナは、これら各偏波面の受信信号を、夫々、所定の１ＧＨｚ帯のＣＳ−ＩＦ信号に変換して、２系統の伝送路を介して受信機側に送信する。
【００５５】
そしてこの場合、アンテナからの受信信号（衛星受信信号）の周波数配列（トランスポンダ配列）は、図５（ａ）に示す如くなり、奇数チャンネル１〜１３のトランスポンダからの受信信号と、偶数チャンネル２〜１４のトランスポンダからの受信信号とは、重複した周波数領域となってしまう。
【００５６】
そこで、本実施例のＳＭＡＴＶシステムにおいては、上記ＣＳからデジタル放送信号を受信して端末側に伝送する場合には、このＣＳの全トランスポンダからの受信信号を１本のケーブルで端末側に伝送できるようにするために、ヘッドエンドに、上記ＣＳの各チャンネル１〜１４のトランスポンダに対応した１４個のＱＰＳＫ−ＱＡＭ変換回路２が備えられ、これら１４個のＱＰＳＫ−ＱＡＭ変換回路２において、図５（ｂ）に示す如く、奇数チャンネルのトランスポンダからの受信信号を、夫々、ＣＳからのトランスポンダ配列（チャンネル１，３，…１３）に沿った周波数帯の６４ＱＡＭ変調信号に変換すると共に、偶数チャンネルのトランスポンダからの受信信号を、夫々、奇数チャンネルの受信信号よりも高い周波数領域で、ＣＳからのトランスポンダ配列（チャンネル２，４，…１４）に沿った周波数帯の６４ＱＡＭ変調信号に変換するようにされている。
【００５７】
この結果、ヘッドエンドからは、ＣＳを構成する各トランスポンダからのデジタル放送信号が、その周波数配列（トランスポンダ配列）に従って、互いに異なる周波数帯の伝送受信信号（６４ＱＡＭ変調信号）に変換されて送信されることになり、端末側では、ＣＳの全トランスポンダからのデジタル放送信号を受信できることになる。
【００５８】
そして、本実施例では、ＣＳの各トランスポンダから送信されてくるデジタル放送信号を、そのまま、伝送用の受信信号に変換して、端末側に伝送するのではなく、そのデジタル放送信号をＱＰＳＫ復調してデータを復元した後、この復元データから６４ＱＡＭ変調した所定周波数帯の受信信号を生成して、端末側に伝送するようにされているため、１トランスポンダ当たりの受信信号の周波数帯域幅を、ＣＳが各トランスポンダ毎に送信してくる２７〜３２ＭＨｚの帯域幅から、６〜８ＭＨｚの帯域幅へと狭くすることができ、従来装置に比べて、端末側に伝送可能なトランスポンダのチャンネル数を増加することができる。従って、本実施例によれば、複数のＣＳのトランスポンダから送信されてくる多数のデジタル放送信号を１本のケーブルで端末側に伝送できることになる。
【００５９】
つまり、ＣＳの各トランスポンダから送信されてきたデジタル放送信号を、ＱＰＳＫ変調信号のまま端末側に伝送するようにした場合、例えば、ＣＳから、図５（ａ）に示すトランスポンダ配列で各トランスポンダからのデジタル放送信号が送信されてくるとすると、アンテナからの受信信号の内、チャンネル１（中心周波数１３８０ＭＨｚ）からチャンネル１３（中心周波数１５６０ＭＨｚ）までの奇数チャンネルのトランスポンダからの受信信号については、そのままの周波数帯域で端末側に伝送することができるものの、チャンネル２（中心周波数１３９５ＭＨｚ）からチャンネル１４（中心周波数１５７５ＭＨｚ）までの偶数チャンネルのトランスポンダからの受信信号については、奇数チャンネル１〜１３の受信信号とは異なる周波数帯域で伝送する必要があるため、これら偶数チャンネル２〜１４のトランスポンダからの受信信号の周波数帯域を、夫々、奇数チャンネル１〜１３の伝送周波数領域から外れるようにシフトしなければならない。この結果、一つのＣＳからのデジタル放送信号を全て端末側に伝送するには、９５０〜１８９５ＭＨｚの伝送周波数領域の内、極めて広い周波数領域を占有することになり、端末側に伝送可能なトランスポンダのチャンネル数が少なくなる。
【００６０】
これに対して、本実施例では、１トランスポンダ当たり２７〜３２ＭＨｚの帯域幅を有するＱＰＳＫ変調された受信信号を、６〜８ＭＨｚの帯域幅を有する６４ＱＡＭ変調信号に変換することから、図５（ｂ）に示す如く、上記１４チャンネル分のトランスポンダからのデジタル放送信号を端末側に伝送する際には、チャンネル１のトランスポンダからの受信信号の中心周波数をアンテナからの受信信号と同じ１３８０ＭＨｚにしたとしても、周波数が最も高くなるチャンネル１４の受信信号の中心周波数を１４８４ＭＨｚにすることができる。この結果、一つのＣＳからのデジタル放送信号を全て端末側に伝送するようにしても、その伝送に必要な周波数領域を上記従来の３分の１から４分の１程度に狭めることができ、端末側に伝送可能なトランスポンダのチャンネル数を増加して、複数のＣＳのトランスポンダからのデジタル放送信号を１本のケーブルで端末側に伝送できるようになるのである。
【００６１】
またこのように、本実施例のＳＭＡＴＶシステムによれば、１本のケーブルを使って従来の３〜４倍のデジタル放送信号を端末側に伝送できるので、ビル等に設置された既存のＣＡＴＶシステム用のケーブルを使って、多チャンネルのデジタル放送信号受信用システムを構築することも、極めて容易にできる。
【００６２】
上記説明において、各トランスポンダ毎のチャンネル数（チャンネル１〜１４）は、各トランスポンダを特定するためのものであり、デジタル放送信号の放送内容を特定する放送チャンネルではない。つまり、デジタル放送用の各トランスポンダは、１トランスポンダ毎に４〜８チャンネル分の放送データを夫々パケットデータとして時分割で送信してくるが、この放送チャンネルを特定するチャンネルではない。
【００６３】
以上説明した本実施例のＳＭＡＴＶシステムにおいては、ヘッドエンド側の出力混合回路４にて混合された各トランスポンダからの受信信号（６４ＱＡＭ変調信号）は、夫々、伝送用のケーブル及びそのケーブルに設けられた増幅器等を介して、端末側に伝送されることになるが、次に、本実施例のＳＭＡＴＶにおいて、端末側で受信信号を復調するのに好適な受信端末装置について、図６〜図９を用いて説明する。
【００６４】
まず図６は、本実施例の受信端末装置（所謂デジタル放送用受信機であり、以下、単にＩＲＤ（Integrated Receiver Decoder ）という）５０の構成を表すブロック図である。
本実施例のＩＲＤ５０は、上記ＳＭＡＴＶシステムにおいてヘッドエンド側より端末側に伝送されてくる受信信号（６４ＱＡＭ変調信号）、及びＣＳデジタル放送受信用のアンテナからの受信信号（ＱＰＳＫ変調信号）を、選択的に入力可能であり、図６に示す如く、その入力された受信信号の中から、後述のマイクロコンピュータ（以下、ＭＣＵという）６４から指令された周波数帯の受信信号（つまり所定トランスポンダからのデジタル放送信号）を選局すると共に、その選局した受信信号を位相が９０度異なるＩ成分及びＱ成分の信号（変調波）に分離して出力するチューナユニット５２と、チューナユニット５２から出力されるＩ・Ｑ各成分の信号を、夫々、データを復元可能な所定のサンプリング周期でデジタルデータに変換するＡ／Ｄ変換部５４と、後述のＭＣＵ６４からの指令に従い、Ａ／Ｄ変換部５４を介して入力されるデジタルデータの変化から、Ｉ・Ｑ各成分の信号の位相・振幅変化（受信信号が６４ＱＡＭ変調信号の場合）又は位相変化（受信信号がＱＰＳＫ変調信号の場合）を検出して、ＣＳのトランスポンダから送信されてきたＩ・Ｑ各成分のデータを順次復元するＱＰＳＫ／ＱＡＭ用のデータ復元部５６とが備えられている。
【００６５】
ここで、チューナユニット５２は、図７に示す如く、アンテナからの受信信号を、ＭＣＵ６４からの周波数制御信号により指令された周波数の受信信号が中間周波数となるように周波数変換する周波数変換部７２と、周波数変換部７２による周波数変換後の受信信号を増幅するＩＦアンプ７４と、ＩＦアンプ７４により増幅した受信信号の内、中間周波数を中心とする帯域幅６〜８ＭＨｚの信号成分（受信信号が６４ＱＡＭ変調信号の場合の１トランスポンダ分の信号成分）と、中間周波数を中心とする帯域幅２７〜３２ＭＨｚの信号成分（受信信号がＱＰＳＫ変調信号の場合の１トランスポンダ分の信号成分）とを、を夫々通過させる２出力型のＢＰＦ７６と、ＭＣＵ６４からの帯域幅切換信号に応じてＢＰＦ７６を通過した２種類の中間周波信号の内の一方を選択して通過させるＲＦスイッチ７８と、ＲＦスイッチ７８を通過した中間周波信号を更に増幅するＩＦアンプ８０と、ＩＦアンプ８０にて増幅された中間周波信号（ＱＰＳＫ変調信号又は６４ＱＡＭ変調信号）をＩ成分及びＱ成分の信号（変調波）に分離する変調波分離回路８２とから構成されている。
【００６６】
なお、、変調波分離回路８２は、前述の変調波分離回路３８と同様、ＶＣＯ８２ａと、移相器８２ｂと、ミキサ回路８２ｃ及び８２ｄとから構成されている。従って、チューナユニット５２においては、周波数変換部７２，ＩＦアンプ７４，ＢＰＦ７６，ＲＦスイッチ７８，及びＩＦアンプ７８の動作により、ＭＣＵ６４からの周波数制御信号及び帯域幅切換信号に応じて、ＳＭＡＴＶシステムのヘッドエンド又はアンテナから入力される受信信号の中から、ＣＳの所定トランスポンダからのデジタル放送信号（ＱＰＳＫ変調信号又は６４ＱＡＭ変調信号）が選局され、変調波分離回路８２によって、その選局した所定トランスポンダからのデジタル放送信号がＩ成分及びＱ成分の信号（変調波）に分離されることになる。
【００６７】
そして、本実施例では、周波数変換部７２にて周波数変換された受信信号の中から、帯域幅６〜８ＭＨｚの信号成分及び帯域幅２７〜３２ＭＨｚの信号成分のいずれかを中間周波信号として通過させるＢＰＦ７６及びＲＦスイッチ７８が、本発明のフィルタ手段として機能する。また、変調波分離回路８２にて分離されたＩ・Ｑ各成分の信号は、Ａ／Ｄ変換部５４にてデジタルデータに変換され、データ復元部５６にてトランスポンダから送信されたデータに復元されることから、本実施例では、変調波分離回路８２が本発明の変調波分離手段として機能し、データ復元部５６が本発明のデータ復元手段として機能することになる。
【００６８】
なお、図示しないが、データ復元部５６には、受信信号が６４ＱＡＭ変調信号である場合にＡ／Ｄ変換部５４を介して入力されたＩ・Ｑ各成分の信号の位相・振幅変化からデータを復元するＱＡＭ用のデータ復元回路（ＱＡＭ用のデータ復元手段）と、受信信号がＱＰＳＫ変調信号である場合にＡ／Ｄ変換部５４を介して入力されたＩ・Ｑ各成分の信号の位相変化からデータを復元するＱＰＳＫ用のデータ復元回路（ＱＰＳＫ用のデータ復元手段）とが備えられており、ＭＣＵ６４からの復元動作切換信号によって、これら２つのデータ復元回路のいずれかが動作する。
【００６９】
また次に、ＩＲＤ５０には、上記ＳＭＡＴＶシステムのヘッドエンド又はアンテナから入力される受信信号を受けて、所望トランスポンダからのデータを復元するだけでなく、その復元データの中から、所望放送チャンネルの放送データを選択して、映像・音声データを復元するために、データ復元部５６から出力されるＩ・Ｑ各成分の復元データを受けて、その中から誤り訂正用のデータ（ブロック符号，畳み込み符号等）を抽出し、復元データの誤り訂正（ＦＥＣ：Forward Error Correction）等を行う信号処理部５８と、信号処理部５８にて信号処理された復元データの中から、ＭＣＵ６４からの指令に従い所定放送チャンネルの放送データが含まれるパケットデータを抽出し、このパケットデータ中のＭＰＥＧ２にて圧縮された放送データ（映像及び音声データ）を出力するトランスポートストリームデコーダ６０と、トランスポートストリームデコーダ６０からの放送データを伸張し、図示しない受像器側にて再生可能な映像及び音声データを復元するＭＰＥＧデコーダ６２を備える。
【００７０】
またＩＲＤ５０には、上記各部を制御するためのＭＣＵ６４が備えられる。ＭＣＵ６４は、当該ＩＲＤ５０が、上記ＳＭＡＴＶシステムの端末側で６４ＱＡＭ変調信号から所望放送チャンネルのデータを復元すべき状態（以下、間接受信モードという）にあるか、アンテナから入力されるＱＰＳＫ変調信号から所望放送チャンネルのデータを復元すべき状態（以下、直接受信モードという）にあるかを切り換えるための受信モード切換スイッチや、映像及び音声データを復元すべき放送チャンネル（以下、受信チャンネルともいう）を入力するための選局スイッチ等が設けられた、入力手段としてのリモコン装置からのキー入力信号を受けて、上記各部を制御する。
【００７１】
そして、ＩＲＤ５０においては、間接受信モードでは、ＳＭＡＴＶシステムのヘッドエンドを介して、例えば図５（ｂ）に示したトランスポンダ配列の伝送受信信号が入力され、直接受信モードでは、例えば図５（ａ）に示したトランスポンダ配列の衛星受信信号が入力されることから、ＭＣＵ６４は、これら各受信モードに応じて、各受信信号のトランスポンダ配列に対応した周波数制御信号を、チューナユニット５２の周波数変換部７２に出力する必要がある。
【００７２】
このため、ＭＣＵ６４には、こうした周波数制御信号生成用の選局データをはじめとする制御用の各種データが格納された、選局データ記憶手段としてのメモリ６６が接続されており、ＭＣＵ６４は、このメモリ６６に格納されたデータとリモコン装置からのキー入力信号とに基づき、上記各部を制御する。
【００７３】
なお、メモリ６６には、上記周波数制御信号生成用の選局データとして、図８（ａ）に示す如く、当該ＩＲＤ５０が直接受信モードにあるときに中間周波数に変換すべき受信信号の周波数（以下、選局周波数という）が各トランスポンダ毎に記憶された直接受信用の選局データと、図８（ｂ）に示す如く、当該ＩＲＤ５０が間接受信モードにあるときに中間周波数に変換すべき受信信号の選局周波数が各トランスポンダ毎に記憶された間接受信用の選局データとの、２種類の選局データが格納されている。但し、図８（ａ）の選局データは、ＱＰＳＫ変調信号（衛星受信信号）のトランスポンダ配列が図５（ａ）に示したトランスポンダ配列となっている場合の選局データを表し、図８（ｂ）の選局データは、６４ＱＡＭ変調信号（ＳＭＡＴＶシステムにおける伝送受信信号）のトランスポンダ配列が図５（ｂ）に示したトランスポンダ配列となっている場合の選局データを表す。
【００７４】
次に、ＭＣＵ６４の制御動作を、図９に示すフローチャートに沿って説明する。
図９に示す如く、ＭＣＵ６４は、まずＳ１００（Ｓはステップを表す）にて、リモコン装置からのキー入力によって現在設定されている受信モードを読み込み、続くＳ１１０にて、リモコン装置からのキー入力によって指定された受信チャンネル（受信すべき放送チャンネル）を読み込む。
【００７５】
そして、続くＳ１２０では、Ｓ１００にて読み込んだ受信モードから、当該ＩＲＤ５０は、現在、アンテナからの受信信号を受ける直接受信モードにあるか否かを判断し、直接受信モードにある場合には、Ｓ１３０に移行して、メモリ６６に格納された直接受信用の選局データの中から、受信チャンネルに対応したトランスポンダの選局周波数を読み込み、続くＳ１４０にて、この読み込んだ選局周波数の受信信号を中間周波数に変換させるべく、チューナユニット５２に、この選局周波数に対応した周波数制御信号を出力すると共に、帯域幅切換信号として広帯域切換信号を出力する。
【００７６】
また続くＳ１５０では、データ復元部５６のデータ復元動作をＱＰＳＫ用に設定するための復元動作切換信号を出力することにより、データ復元部５６内のＱＰＳＫ用のデータ復元回路を動作させる。
この結果、チューナユニット５２の周波数変換部７２では、リモコン装置を介して外部から指定された受信チャンネルの放送データを送信してくる所望トランスポンダからのデジタル放送信号（ＱＰＳＫ変調信号）が所定の中間周波数に変換され、ＲＦスイッチ７８からは、ＢＰＦ７６からの２種類の出力信号の内、その中間周波数を中心とする帯域幅２７〜３２ＭＨｚの信号成分（所望トランスポンダからのＱＰＳＫ変調信号）が選択されて出力されることになる。また、データ復元部５６は、このＱＰＳＫ変調信号からデータを復元する復元動作を実行することになる。
【００７７】
次に、続くＳ１６０では、トランスポートストリームデコーダ６０に、リモコン装置から指定された受信チャンネルを指令することにより、トランスポートストリームデコーダ６０を、信号処理部５８を介して入力される所望トランスポンダからのデータの中から受信チャンネルの映像及び音声データを抽出してＭＰＥＧデコーダ６２に出力するよう動作させ、更に、続くＳ１７０にて、Ａ／Ｄ変換部５４及び信号処理部５８を動作させ、当該処理を一旦終了する。
【００７８】
一方、Ｓ１２０にて、現在設定されている受信モードが、ＳＭＡＴＶシステムの端末側でヘッドエンドからの受信信号を受ける間接受信モードにあると判断された場合には、Ｓ１８０に移行して、メモリ６６に格納された間接受信用の選局データの中から、受信チャンネルに対応したトランスポンダの選局周波数を読み込む。そして、続くＳ１９０では、その読み込んだ選局周波数の受信信号を中間周波数に変換させるべく、チューナユニット５２に、この選局周波数に対応した周波数制御信号を出力すると共に、帯域幅切換信号として狭帯域切換信号を出力する。また続くＳ２００では、データ復元部５６のデータ復元動作をＱＡＭ用に設定するための復元動作切換信号を出力することにより、データ復元部５６内のＱＡＭ用のデータ復元回路を動作させる。
【００７９】
この結果、チューナユニット５２の周波数変換部７２では、リモコン装置を介して外部から指定された受信チャンネルの放送データを送信してくる所望トランスポンダからのデジタル放送信号（ＱＡＭ変調信号）が所定の中間周波数に変換され、ＲＦスイッチ７８からは、ＢＰＦ７６からの２種類の出力信号の内、その中間周波数を中心とする帯域幅６〜８ＭＨｚの信号成分（ヘッドエンドを介して入力される所望トランスポンダからの６４ＱＡＭ変調信号）が選択されて出力されることになる。また、データ復元部５６は、この６４ＱＡＭ変調信号からデータを復元する復元動作を実行することになる。
【００８０】
そして、Ｓ２００の処理実行後は、Ｓ１６０及びＳ１７０の処理を実行し、当該処理を一端終了する。なお、この処理終了後、ＭＣＵ６４は、リモコン装置から受信チャンネルの変更指令が入力されるのを待つ待機モードとなり、受信チャンネルの変更指令が入力されると、上記処理が再度実行される。
【００８１】
このように、ＭＣＵ６４は、リモコン装置を介して外部から受信モード及び受信チャンネル（又は受信チャンネルのみ）が指令されると、その指令された受信モード及び受信チャンネルに従い、チューナユニット５２，データ復元部５６，トランスポートストリームデコーダ６０を制御し、Ａ／Ｄ変換部５４及び信号処理部５８を作動させる。この結果、本実施例のＩＲＤ５０では、アンテナ又は上記ＳＭＡＴＶシステムのヘッドエンドから入力される受信信号の中から所望トランスポンダから送信されてきた受信信号が選局されると共に、その選局された受信信号からデータが復元され、更に、その復元データの中から所望放送チャンネルの映像及び音声データが復元されて、外部に出力されることになる。
【００８２】
そして、本実施例のＩＲＤ５０は、アンテナを用いてＣＳからのデジタル放送信号を直接受信する場合であっても、上記ＳＭＡＴＶシステムの端末側でＣＳからのデジタル放送信号を間接的に受信する場合であっても、所望放送チャンネルの映像及び音声データを復元することができることから、極めて汎用性の高いＩＲＤとなる。
【００８３】
また、本実施例のＩＲＤ５０において、直接受信用と間接受信用とで全く異なる回路を使用するのは、データ復元部５６のみであり、他の部分は、共通の回路を利用しているので、回路構成も簡単になり、安価に実現することができる。
なお、本実施例のＩＲＤ５０においては、Ｓ１４０及びＳ１９０の処理において、Ｓ１３０又はＳ１８０にて読み込んだ選局周波数に対応した周波数制御信号を出力する処理動作と、この周波数制御信号を受けて受信信号を周波数変換する周波数変換部７２とにより、本発明の周波数変換手段が実現され、Ｓ１４０及びＳ１９０の処理において、受信モードに応じて広帯域又は狭帯域の帯域幅切換信号を出力する処理動作により、本発明の帯域幅設定手段が実現され、Ｓ１５０及びＳ２００において、受信モードに応じてデータ復元部の動作をＱＰＳＫ用又はＱＡＭ用に切り換える処理動作により、本発明のデータ復元動作切換手段が実現される。
【００８４】
ここで、上記実施例では、ＳＭＡＴＶシステムにおいては、予め設定されたトランスポート配列に従って、各トランスポートからのデジタル放送信号を伝送用の受信信号（６４ＱＡＭ変調信号）に変換し、ＩＲＤ５０においては、この伝送用のトランスポート配列に従って予め設定された選局データ（図８（ｂ））がメモリ６６に格納されているものとして説明したが、例えば、ＳＭＡＴＶシステムにおいて、ヘッドエンド側から端末側に、受信信号のトランスポンダ配列（図１０（ａ）参照）を表すトランスポンダ配列データ（図１０（ｂ）参照）を伝送するようにし、端末側に配置されるＩＲＤにおいては、このトランスポンダ配列データを選局データとしてメモリ６６に格納するようにしてもよい。
【００８５】
以下このように構成されたＳＭＡＴＶシステム及びＩＲＤについて、本発明の第２実施例として簡単に説明する。
まず、ＳＭＡＴＶシステムのヘッドエンドには、上記実施例と同様、受信信号を伝送すべきトランスポンダに対応した複数のＱＰＳＫ−ＱＡＭ変換回路２と、出力混合回路４とが設けられると共に、トランスポンダ配列データ送信用のデータ送信回路９０が設けられる。
【００８６】
このデータ送信回路９０は、例えば、図１１に示す如く、図１０（ｂ）に示した端末側への伝送受信信号のトランスポンダ配列データが格納されたメモリ９１と、メモリ９１からトランスポンダ配列データを読み出し、これを先頭データから１ビットずつ２系統のデータに分離すると共に、その分離した２系統のデータを順次３ビットのパラレルデータに変換することにより、６４ＱＡＭ変調信号生成用のＩ・Ｑ各３ビットのパラレルデータを順次出力するＭＣＵ９２と、ＭＣＵ９２から出力されるＩ・Ｑ各３ビットのデータを、夫々、値０〜７の８値に変換する３ビット８値変換部９３と、３ビット８値変換部９３から順次出力されるＩ・Ｑ各成分の数値（８値）をアナログ電圧信号に変換するＤ／Ａ変換部９４と、Ｄ／Ａ変換部９４から出力されるＩ・Ｑ各成分のアナログ電圧信号にて、位相が９０度異なるＱＡＭ変調信号生成用の搬送波を夫々位相・振幅変調して合成することにより６４ＱＡＭ変調信号を生成する変調波生成部９５と、変調波生成部９５から出力される６４ＱＡＭ変調信号を中心周波数「Ｆ」ＭＨｚの信号（図１０（ａ）参照）に変換して出力するアップコンバータ９６とから構成すればよい。
【００８７】
そして、このデータ送信回路９０から出力される所定周波数帯の６４ＱＡＭについても、他のＱＰＳＫ−ＱＡＭ変換回路２からの出力と同様、出力混合回路４にて混合して、端末側に送信するようにすれば、トランスポンダ配列データを、他の受信信号と同じ６４ＱＡＭ変調信号にて端末側に伝送でき、端末側では、このデータを復元するために、専用の回路を必要としない。
【００８８】
なお、データ送信回路９０において、３ビット８値変換部９３、Ｄ／Ａ変換部９４、変調波生成部９５、及びアップコンバータ９６は、ＱＰＳＫ−ＱＡＭ変換回路２内の３ビット８値変換部２０、Ｄ／Ａ変換部２２、変調波生成部２４、及びアップコンバータ２６と同様に構成すればよい。
【００８９】
一方、このようにヘッドエンド側にデータ送信回路９０を設けた場合に端末側で使用するＩＲＤとしては、図６及び図７に示した前述のＩＲＤ５０と全く同様の構成にし、ＭＣＵ６４において、リモコン装置を介して、ＳＭＡＴＶシステムの端末側で６４ＱＡＭ変調信号から所望放送チャンネルのデータを復元すべき間接受信モードが指定されたときに、図１２に示す選局データ格納処理を実行するようにすればよい。なお、この処理は、本発明の選局データ復元・格納手段として機能する。
【００９０】
図１２に示す如く、この選局データ格納処理では、まずＳ２１０にて、選局周波数として、上記データ送信回路９０からの送信信号の中心周波数「Ｆ」ＭＨｚを設定し、続くＳ２２０にて、チューナユニット５２に対して、この選局周波数「Ｆ」に対応した周波数制御信号を出力すると共に、帯域幅切換信号として狭帯域切換信号を出力する。また続くＳ２３０では、データ復元部５６のデータ復元動作をＱＡＭ用に設定することにより、データ復元部５６内のＱＡＭ用のデータ復元回路を動作させる。
【００９１】
この結果、チューナユニット５２からはデータ送信回路９０からの送信信号６４ＱＡＭ変調信号を中間周波数信号に変換して、Ｉ・Ｑ各成分に分離した信号が出力され、データ復元部５６において、この信号からトランスポンダ配列データが復元されることになる。
【００９２】
そこで、続くＳ２５０では、データ復元部５６にて復元されたトランスポンダ配列データを読み込み、続くＳ２６０にて、このトランスポンダ配列データを、当該ＳＭＡＴＶシステム用の選局データとして、メモリ６６に格納し、処理を終了する。
【００９３】
この結果、ＩＲＤには、ＳＭＡＴＶシステムにおける選局データを予め登録しておく必要はなく、トランスポンダ配列データを端末側に伝送するようにしたＳＭＡＴＶシステムであれば、どのようなトランスポンダ配列のＳＭＡＴＶシステムであっても利用することができる。また、ＳＭＡＴＶシステムでは、トランスポンダ配列を任意に設定することができると共に、トランスポンダ配列を変更することができる。
【００９４】
以上、本発明の一実施例について説明したが、本発明は上記実施例に限定されるものではなく、種々の態様をとることができる。
例えば、上記実施例では、ＳＭＡＴＶシステムのヘッドエンド側に設けられるＱＰＳＫ−ＱＡＭ変換回路２は、夫々、ＣＳの各トランスポンダから送信されてきたデジタル放送信号を６４ＱＡＭ変調信号に変換するものとして説明したが、この伝送用の受信信号は、１６ＱＡＭ変調信号にしてもよく、また２５６ＱＡＭ変調信号にしてもよい。
【図面の簡単な説明】
【図１】  実施例のＳＭＡＴＶシステムのヘッドエンド側の構成を表すブロック図である。
【図２】  図１に示したチューナユニット１２の構成を表すブロック図である。
【図３】  図１に示したデータ変換部１８の構成及びその動作を説明する説明図である。
【図４】  図１に示した変調波生成部２４の構成を表すブロック図である。
【図５】  アンテナからの受信信号のトランスポンダ配列とヘッドエンドからの受信信号のトランスポンダ配列との関係を説明する説明図である。
【図６】  実施例のＳＭＡＴＶシステムに用いられるＩＲＤの構成を表すブロック図である。
【図７】  図６に示したチューナユニット５２の構成を表すブロック図である。
【図８】  図６に示したメモリ６６に格納される選局データの一例を表す説明図である。
【図９】  図６に示したＭＣＵ６４にてデジタル放送受信のために実行される制御処理を表すフローチャートである。
【図１０】  第２実施例のＳＭＡＴＶシステムにおける受信信号のトランスポンダ配列及びトランスポンダ配列データを表す説明図である。
【図１１】  第２実施例のＳＭＡＴＶシステムのヘッドエンド側に設けられるデータ送信回路９０の構成を表すブロック図である。
【図１２】  第２実施例のＳＭＡＴＶシステムに用いられるＩＲＤにおいて実行される選局データ格納処理を表すフローチャートである。
【符号の説明】
２…ＱＰＳＫ−ＱＡＭ変換回路    ４…出力混合回路
１２，５２…チューナユニット    １４，５４…Ａ／Ｄ変換部
１６，５６…データ復元部    １８…データ変換部
２０，９３…３ビット８値変換部    ２２，９４…Ｄ／Ａ変換部
２４，９５…変調波生成部    ２６，９６…アップコンバータ
３０，７２…周波数変換部    ３２，３６，７４，８０…ＩＦアンプ
３４，７６…ＢＰＦ    ３８，８２…変調波分離回路    ４０…レジスタ
４２…分周器    ４４…シリアル−パラレル変換部    ２４ａ…ＶＣＯ
２４ｂ…移相器    ２４ｃ，２４ｄ…ミキサ回路    ５０…ＩＲＤ
５８…信号処理部    ６０…トランスポートストリームデコーダ
６２…ＭＰＥＧデコーダ    ６４，８２…ＭＣＵ    ６６，９１…メモリ
７８…ＲＦスイッチ
【図１】
0003844829.tif 000002
【図２】
0003844829.tif 000003
【図３】
0003844829.tif 000004
【図４】
0003844829.tif 000005
【図５】
0003844829.tif 000006
【図６】
0003844829.tif 000007
【図７】
0003844829.tif 000008
【図８】
0003844829.tif 000009
【図９】
0003844829.tif 000010
【図１０】
0003844829.tif 000011
【図１１】
0003844829.tif 000012
【図１２】
0003844829.tif 000013